(57)【要約】【課題】カウンター相互の組み合わせ構成変更に対応することができ、容易にカウンターどうしを接合することのできるカウンターの接合構造を提供すること。【解決手段】  隣り合うカウンター１、１間に、カウンター１、１端部間に介在させる中空部４をもった断面多角状の介在体３の稜線長手方向に沿って、カウンター１端部の一面及び／又は端面に接合させる複数の接合片５を突設させて成る可撓性材料製の成形接合部材２を配設する。中空部４に、剛性材料製で同中空部４と略相似形状の心材６を挿通させる。【選択図】図１
2005261803.tif 000002
【特許請求の範囲】
【請求項１】
隣り合うカウンター間に、カウンター端部間に介在させる中空部をもった断面多角状の介在体の稜線長手方向に沿って、該カウンター端部の一面及び／又は端面に接合させる複数の接合片を突設させて成る可撓性材料製の成形接合部材を配設し、前記中空部に、剛性材料製で同中空部と略相似形状の心材を挿通して成るカウンターの接合構造。
【請求項２】
前記介在体を断面視略四角状とし、前記接合片はその介在体各稜線から各カウンターの表面及び裏面に接合するよう形成して成ることを特徴とする請求項１記載のカウンターの接合構造。
【請求項３】
前記介在体を断面視略三角状とし、前記接合片はその介在体一稜線から一方のカウンター端面と他方のカウンター裏面に接合するよう形成して成ることを特徴とする請求項１記載のカウンターの接合構造。
【発明の詳細な説明】
【技術分野】
【０００１】
本発明はカウンターの接合構造に関する。
【背景技術】
【０００２】
従来から、カウンターを接合していろいろな形状の大きなカウンターに形成することが行われている。例えば人造大理石のカウンターを接合してＬ字型に形成するような場合がある。このような接合構造は、接合する両カウンターの裏面端部に桟材を固着させると共に、両桟材をボルト、ナットにて締結することが従来から行われている。
【０００３】
また一般に、接合するカウンター端面および表面には、微妙な凹凸もしくはうねりがあったり、また、接合時の端面合わせの精度が不十分となることがあり、接合したカウンター表面に段差が発生することがある。
【０００４】
この問題を解決するために、本出願人は、例えば特開平７−２８４４２１号公報に開示されている、図４に示すような、桟材に透孔を形成しこの位置で水平方向にのみ締めつけるようにして、接合するカウンター１０１表面の段差の調整作業を容易におこなうことができ、さらに、カウンター上面側から、カウンターの表面位置を合わせること、およびボルト、ナットを締結して接合するなどの作業が行える作業性のよいカウンターの接合構造を提案している。
【０００５】
具体的には、カウンターの接合治具１００が、カウンター１０１接合部分の両側に配設され、下面がカウンター１０１表面に離脱可能に仮接着される対となる仮着体１０２、１０２と、この両仮着体１０２、１０２間に付設されて両カウンターを引き寄せる連結具１０３と、一方の仮着体１０２から他方の仮着体１０２上に延設される支持板１０４と、この支持板１０４の延設側の先端部と下方の仮着体１０２とを連結すると共に、この仮着体１０２を調整自在に引き上げて両カウンター１０１の表面を一致させる調整ねじ１０５とから構成されており、仮着体１０２を仮接着させ、調整ねじ１０５によって両カウンターの表面を一致させると共に、連結具１０３によって両カウンターを引き寄せ、密着させて両カウンター端面を接着させ、こののち仮着体を取り除くようにしている。
【０００６】
上記手順によるカウンターの接合方法による場合、施工現場にて容易にカウンターどうしを接合することが不可能であった。これに対し、例えば図５に示すように、カウンター２００端部の裏桟を互いに組み合わされるように形成し、接合させる構成のカウンターの接合構造が提案されている。しかしながら、このカウンターの接合構造にあっては、図６に示すように、例えばカウンターどうしを接合させてＬ型に構成することを前提とするようにしたものであり、カウンター相互の組み合わせを変更することのできないものであった。
【特許文献１】特開平７−２８４４２１号公報
【発明の開示】
【発明が解決しようとする課題】
【０００７】
本願発明は、上記背景技術に鑑みてなされたものであり、その課題は、カウンター相互の組み合わせ構成変更に対応することができ、容易にカウンターどうしを接合することのできるカウンターの接合構造を提供することである。
【課題を解決するための手段】
【０００８】
上記課題を解決するために、本願発明のカウンターの接合構造は、隣り合うカウンター間に、カウンター端部間に介在させる中空部をもった断面多角状の介在体の稜線長手方向に沿って、該カウンター端部の一面及び／又は端面に接合させる複数の接合片を突設させて成る可撓性材料製の成形接合部材を配設し、前記中空部に、剛性材料製で同中空部と略相似形状の心材を挿通して成る。
【０００９】
また、前記介在体を断面視略四角状とし、前記接合片はその介在体各稜線から各カウンターの表面及び裏面に接合するよう形成して成ることが好ましい。
【００１０】
また、前記介在体を断面視略三角状とし、前記接合片はその介在体一稜線から一方のカウンター端面と他方のカウンター裏面に接合するよう形成して成ることも好ましい。
【発明の効果】
【００１１】
本願発明のカウンターの接合構造においては、隣り合うカウンターの端部間に可撓性材料製成形接合部材の断面多角状の介在体が配設され、その中空部に剛性材料製心材が挿通されることにて、当該中空部と略相似形状の心材が稜線長手方向に突設された複数の接合片がカウンター端部の一面及び／又は端面にそれぞれ接合されるので、カウンター相互の組み合わせ構成変更に対応することができ、容易にカウンターどうしを接合することができる。
【００１２】
また、断面視略四角状の介在体を有する接合部材にあっては、その介在体各稜線から突設された４つの接合片が各カウンターの表面及び裏面に接合するようになり、接合したカウンター表面の僅かな段差を容易に吸収できて、使い勝手が良い。
【００１３】
また、断面視略三角状の介在体を有する接合部材にあっては、その介在体一稜線から突設された２つの接合片がカウンター端面及びカウンター裏面に接合するするようになり、接合したカウンター表面に大きな段差のある場合に容易に適合できて、カウンター相互の多くの組み合わせ構成への対応が可能となる。
【発明を実施するための最良の形態】
【００１４】
図１、２は、本願の請求項１〜３に対応した一実施形態であるカウンターの接合構造を示している。この実施形態のカウンターの接合構造は、隣り合うカウンター１、１間に、カウンター１、１端部間に介在させる中空部４をもった断面多角状の介在体３の稜線長手方向に沿って、該カウンター１端部の一面に接合させる複数の接合片５を突設させて成る可撓性材料製の成形接合部材２を配設し、前記中空部４に、剛性材料製で同中空部４と略相似形状の心材６を挿通して成る。また、この場合、前記介在体３を断面視略四角状とし、前記接合片５はその介在体３各稜線から各カウンター１、１の表面１ａ及び裏面１ｂに接合するよう形成して成る。
【００１５】
詳しくは、このカウンターの接合構造は、図２（ａ）に示すような断面形状をもった長尺状の成形接合部材２と、この成形接合部材２に設けられている中空部４の内部形状と略同一の長方形の横断面形状をもった心材６とを使用する構成で、従来の技術の項において説明した構成のように仮着体を使用せず床面からの高さがほぼ同一高さ寸法をもったシステムキッチンの人造大理石のカウンターを接合するのに好ましく適用することができる。
【００１６】
成形接合部材２は、可撓性材料としてシリコンゴム、エラストマー樹脂などを使用して押出し成形加工にて形成され、断面略四角で略四角の中空部４をもった長方形状の介在体３の４つの稜線からそれぞれ４つの薄板状の接合片５を有して成る。この場合、後述する心材６の挿入される中空部４をもった断面四角状の介在体３の部分の材厚を、接合片５の厚さより薄厚に形成してあり、接合片５、５間の上下間隔を上記カウンター１の厚さと略同一寸法としている。
【００１７】
心材６は、剛性材料として鉄あるいはアルミニウムなどの金属材料や、ポリカーボネート樹脂などの合成樹脂材料を使用した長尺材であり、押出し成形加工にて形成することができる。
【００１８】
このカウンターの接合構造により隣り合うカウンター間を接合する場合、まず、図２（ａ）に示すようにカウンター１、１間に成形接合部材２の介在体３部分をカウンター１、１の側方（図２において手前側）から差込むようにして配置させる。この状態においては、４つの接合片５は、カウンター１、１の上面１ａ、及び裏面１ｂには密着していない。次いで、図２（ｂ）に示すように、介在体３の中空部４へ心材６を側方から挿入させて４つの接合片５をカウンター１、１の上面１ａ、及び裏面１ｂに密着させてカウンター１、１間を接合させる。
【００１９】
したがって、以上説明したカウンターの接合構造によると、隣り合うカウンター１、１の端部間に可撓性材料製成形接合部材２の断面多角状の介在体３が配設され、その中空部４に剛性材料製心材６が挿通されることにて、当該中空部４と略相似形状の心材６が稜線長手方向に突設された複数の接合片５がカウンター端部の一面１ａ、１ｂ及び／又は端面１ｃにそれぞれ接合されるので、カウンター相互の組み合わせ構成変更に対応することができ、容易にカウンターどうしを接合することができる。また、剥がれないなど、美観を損なうことがなく、しかも水仕舞などの処理機能と連結機能との２つの機能を兼ね備えていて、使い勝手が良い。
【００２０】
また、断面視略四角状の介在体３を有する接合部材２にあっては、その介在体３各稜線から突設された４つの接合片５が各カウンター１、１の表面１ａ及び裏面１ｂに接合するようになり、接合したカウンター１、１表面の僅かな段差を容易に吸収できて、使い勝手が良い。
【００２１】
次に、本願の請求項３に対応した別の実施例であるカウンターの接合構造について説明する。この場合は、図３に示すように、成形接合部材２を、カウンター端部間に介在させる略三角状の中空部１４を有した断面視略三角状の介在体１３をもったものとし、前記接合片はその介在体１３一稜線から一方のカウンター端面１ｃと他方のカウンター裏面１ｂに接合するよう形成して成る。そして、剛性材料製の心材１６は、前記中空部１４と略相似形状の略三角状のもの挿通して成る。
【００２２】
このような、断面視略三角状の介在体１３を有する接合部材２にあっては、その介在体一稜線から突設された２つの接合片１５、１５がカウンター端面１ｃ及びカウンター裏面１ｂに接合するするようになり、接合したカウンター表面１ａ，１ａに大きな段差のある場合に容易に適合できて、カウンター相互の多くの組み合わせ構成への対応が可能となる。
【図面の簡単な説明】
【００２３】
【図１】本願発明の一実施形態であるカウンターの接合構造を示す斜視図。
【図２】同カウンターの接合構造の接合手順を示す説明図。
【図３】本願発明の他の実施例であるカウンターの接合構造の接合手順を示す説明図。
【図４】従来例であるカウンターの接合構造を示す斜視図。
【図５】カウンターの接合構造に係る説明図。
【図６】カウンターの接合構造に係る他の説明図。
【符号の説明】
【００２４】
１      カウンター
２      成形接合部材
３      介在体
４      中空部
５      接合片
６      心材
【図１】
2005261803.tif 000003
【図２】
2005261803.tif 000004
【図３】
2005261803.tif 000005
【図４】
2005261803.tif 000006
【図５】
2005261803.tif 000007
【図６】
2005261803.tif 000008